Podtech/llm-jp-corpus-v4-ja_patent huggingface dataset:
(57)【要約】【課題】不使用時の置き場所を黒板やホワイトボードに設ける必要がないイレーザを提供する。【解決手段】黒板やホワイトボード等の筆記板に書かれた文字等を消すイレーザーであって、字消し部と、ホルダー部とを具え、マグネットがそのホルダー部に取り付けられたことを特徴とする。また、マグネットがホルダー部の側面部に取り付けられて、ホルダー部の上面にチョークやマーカー等筆記具を載置可能なトレー部が設けられた構成にすることもできる。トレー部はホルダー部の上面にクボミを設けて、そのクボミをトレー部とすることができる。【選択図】        図１
2004167722.tif 000002
【特許請求の範囲】
【請求項１】
黒板やホワイトボード等の筆記板に書かれた文字等を消すイレーザーであって、字消し部と、ホルダー部とを具え、マグネットがそのホルダー部に取り付けられたことを特徴とする黒板、ホワイトボード等筆記板用イレーザー。
【請求項２】
マグネットがホルダー部の側面部に取り付けられて、ホルダー部の上面にチョークやマーカー等筆記具を載置可能なトレー部が設けられた請求項１記載の黒板、ホワイトボード等筆記板用イレーザー。
【請求項３】
ホルダー部の上面にクボミが設けられて、そのクボミがトレー部とされた請求項２記載の黒板、ホワイトボード等筆記板用イレーザー。
【請求項４】
スチール等の磁性体で形成された黒板やホワイトボード等の筆記板と共に用いられるようにされた請求項１、２又は３記載の黒板、ホワイトボード等筆記板用イレーザー。
【発明の詳細な説明】
【０００１】
【発明の属する技術分野】
本発明は、黒板、ホワイトボード等筆記板に書かれた文字等を消すラーフルとも称されるイレーザーに関する。
【０００２】
【従来の技術】
従来、イレーザーを不使用時に置くために、黒板やホワイトボードの下辺部などにイレーザーを置くためのトレーを設けていた。したがつて、トレーを設ける分だけコスト高となる不利があった。また、マグネットを取り付けてホワイトボードに吸着可能としたペン体にイレーザーを一体化したものも存在する（例えば、特許文献１参照）が、イレーザーが小さくて消去作業に時間がかかるという不満があった。
【０００３】
【特許文献１】
登録実用新案第３０７８６８１号公報（段落番号０００８、図１）
【０００４】
【発明が解決しようとする課題】
本発明は、不使用時の置き場所を黒板やホワイトボードに設ける必要がなく、かつ、サイズを小さくする必要がなくて消去作業をすばやく行なうことができるイレーザーの提供を課題とする。
【０００５】
【課題を解決するための手段】
上記課題を解決するために、本発明の黒板、ホワイトボード等筆記板用イレーザーは、黒板やホワイトボード等の筆記板に書かれた文字等を消すイレーザーであって、字消し部と、ホルダー部とを具え、マグネットがそのホルダー部に取り付けられたことを特徴とする、という構成にしたものである。
【０００６】
また、本発明の黒板、ホワイトボード等筆記板用イレーザーは、マグネットがホルダー部の側面部に取り付けられて、ホルダー部の上面にチョークやマーカー等筆記具を載置可能なトレー部が設けられた構成にすることができる。
【０００７】
また、本発明の黒板、ホワイトボード等筆記板用イレーザーは、ホルダー部の上面にクボミが設けられて、そのクボミがトレー部とされた構成にすることができる。
【０００８】
また、本発明の黒板、ホワイトボード等筆記板用イレーザーは、スチール等の磁性体で形成された黒板やホワイトボード等の筆記板と共に用いられるようにされた構成とすることができる。
【０００９】
【発明の実施の形態】
以下、図を用いて本発明の実施の形態について説明する。なお、図は本発明の一実施例を示したものであって、本発明はこの実施例に限定されるものではない。まず、本発明のイレーザーは、図１に示すように、一般的なイレーザーと同様に、字消し部１とホルダー部２とを具えて構成されている。
【００１０】
字消し部１は、黒板用の場合はチョークを消すのに適した素材を用いて形成され、ホワイトボード用の場合はインキを消すのに適した素材で形成されている。
【００１１】
ホルダー部２は字消し部１を固定するものであるが、使用者が手で握って操作するためのものでもある。このホルダー部２の素材は自由であり、例えばプラスチック等で成形することができる。
【００１２】
そして、マグネット３がホルダー部２に一体的に取り付けられている。マグネット３はホルダー部２の外面に接着等により取り付けることができるが、ホルダー部２に埋め込んで取り付けることも可能である。
【００１３】
マグネット３はホルダー部２の側面部に取り付けることができる。このようにマグネット３をホルダー部２の側面部に取り付ければ、ホルダー部２の上面にトレー部４を設けて、そのトレー部４にチョークやマーカー等の筆記具５を載置することができる。
【００１４】
ホルダー部２の上面に設けるトレー部４の形状は自由であり、例えば図示したように、ホルダー部２の上面部にクボミ６を設けて、そのクボミ６をトレー部４とすることができる。
【００１５】
黒板やホワイトボード等の筆記板７はスチール等の磁性体で形成することができる。そのようにすることで、本発明のイレーザーは、そのホルダー部２のマグネット３を取り付けた側面部を黒板やホワイトボード等の筆記板７に吸着させて固定することができる。なお、本発明のイレーザーは、黒板やホワイトボード等の筆記板７だけではなく、スチール等磁性体製のキャビネット等の家具などにも吸着させて固定することができるのは勿論である。
【００１６】
そして、ホルダー部２の上面に設けたトレー部４にはチョークやマーカー等の筆記具５を載置することができる。
【００１７】
【発明の効果】
請求項１記載の本発明のイレーザーは、ホルダー部に取り付けたマグネットにより磁性体製の部材に吸着させて固定できるので、黒板やホワイトボードにトレーなどのイレーザの置き場所を設ける必要が無くなって、黒板やホワイトボードの製造コストを下げることができる。また、字消し部はホルダー部に一体化するので、従来のようにペン体に一体化するよりもサイズを大きくすることができて、消去作業を迅速に行なうことができる。
また、請求項２記載の本発明のイレーザーは、吸着させて固定したイレーザーのホルダー部の上面に設けたトレー部の上にチョークやマーカー等筆記具を載置できるので、黒板やホワイトボードにチョークやマーカー等の置き場所を設ける必要もない。
また、請求項３記載の本発明のイレーザーは、ホルダー部の上面に設けたクボミをトレー部とすることにより、そのトレー部に載置した筆記具を落下しにくくすることができる。
また、請求項４記載の本発明のイレーザーは、黒板やホワイトボードに吸着させて固定できるので、その黒板やホワイトボードに書かれた文字等を消す場合に、即座に使用することができる。
【図面の簡単な説明】
【図１】斜視図である。
【図２】筆記板に固定した状態を示す斜視図である。
【符号の説明】
１  字消し部
２  ホルダー部
３  マグネット
４  トレー部
５  筆記具
６  クボミ
７  筆記板
【図１】
2004167722.tif 000003
【図２】
2004167722.tif 000004
(57)【要約】【課題】口臭をとるための口腔または歯科衛生用器具およびそのキットを提供することを目的とする。【解決手段】口腔または歯科衛生用器具の表面にアムホテリシンＢをコーティングしてなる口腔または歯科衛生用器具および口腔または歯科衛生用器具キット。【選択図】なし【特許請求の範囲】
【請求項１】
口腔または歯科衛生用器具の表面にアムホテリシンＢをコーティングしてなる口腔または歯科衛生用器具。
【請求項２】
歯間ブラシ、楊枝である請求項１記載の口腔または歯科衛生用器具。
【請求項３】
口腔または歯科衛生用器具とアムホテリシンＢ水溶液を充填した容器とからなる口腔または歯科衛生用器具キット。
【発明の詳細な説明】
【０００１】
【発明の属する技術分野】
本発明は、歯を丈夫にし、口臭をとるための口腔または歯科衛生用器具および口腔または歯科衛生用器具キットに関する。
【０００２】
【従来の技術】
従来、口臭をとるためにはウガイするタイプの口腔清浄液が一般的に用いられている。しかしながら屋内においては自由に行うことができるが、外出等をして食事の後公衆の面前でウガイをすることができないばかりでなく、ウガイだけでは不充分であり長時間口臭をとることはできなかった。
【０００３】
【発明が解決しようとする課題】
そこで本発明者は、公衆の面前においてもあまり目立たずに食べかすや口臭をとる器具について種々研究を重ねた結果本発明を完成するに至った。
【０００４】
【課題を解決するための手段】
すなわち本発明は口腔または歯科衛生用器具の表面にアムホテリシンＢをコーティングした口腔または歯科衛生用器具および口腔または歯科衛生用器具と、アムホテリシンＢ水溶液を充填した容器とからなる口腔または歯科衛生用器具キットに関する。
【０００５】
【発明の実施の形態】
本発明の口腔または歯科衛生用器具の一例として楊枝がある。この楊枝の先の部分にアムホテリシンＢをコーティングする。
コーティング方法としては、澱粉のり、寒天、カルボキシメチルセルロースナトリウム、メチルセルロース、グアーガム、アラビアガム、アルギン酸、キサンタンガム、カードラン、ペクチン、キトサン等の増粘剤液にアムホテリシンＢを溶解させた粘稠液を楊枝の先端部に付けて乾燥することによって本発明の口腔または歯科衛生用器具としての楊枝を調整することができる。
【０００６】
この場合アムホテリシンＢは粘稠液中に１〜１０重量％好ましくは２〜８重量％、さらに好ましくは３〜５重量％添加することが好ましい。
【０００７】
本発明の口腔または歯科衛生用器具に用いられるアムホテリシンＢは、（１Ｒ，３Ｓ，５Ｒ，６Ｒ，９Ｒ，１１Ｒ，１５Ｓ，１６Ｒ，１７Ｒ，１８Ｓ，１９Ｅ，２１Ｅ，２３Ｅ，２５Ｅ，２７Ｅ，２９Ｅ，３１Ｅ，３３Ｒ，３５Ｓ，３６Ｒ，３７Ｓ）−３３−（３−アミノ−３，６−ジデオキシン−β−Ｄ−マンノフィラノシロキシ）−１，３，５，６，９，１１，１７，３７−オクタヒドロキシ−１５，１６，１８−トリメチル−１３−オキソ−１４，３９−ディオキシアビシクロ〔３３，３，１〕ノナトリアコンタ−１９，２１，２３，２５，２７，２９，３１−ヘプタエン−３６−カルボキシルアシッド（（１Ｒ，３Ｓ，５Ｒ，６Ｒ，９Ｒ，１１Ｒ，１５Ｓ，１６Ｒ，１７Ｒ，１８Ｓ，１９Ｅ，２１Ｅ，２３Ｅ，２５Ｅ，２７Ｅ，２９Ｅ，３１Ｅ，３３Ｒ，３５Ｓ，３６Ｒ，３７Ｓ）−３３−（３−ａｍｉｎｏ−３，６−ｄｉｄｅｏｘｙ−β−Ｄ−ｍａｎｎｏｐｙｒａｎｏｓｙｌｏｘｙ）−１，３，５，６，９，１１，１７，３７−ｏｃｔａｈｙｄｒｏｘｙ−１５，１６，１８−ｔｒｉｍｅｔｈｙｌ−１３−ｏｘｏ−１４，３９−ｄｉｏｘａｂｉｃｙｃｌｏ〔３３，３，１〕ｎｏｎａｔｒｉａｃｏｎｔａ−１９，２１，２３，２５，２７，２９，３１−ｈｅｐｔａｅｎｅ−３６−ｃａｒｂｏｘｙｌｉｃ  ａｃｉｄ）と称される化合物である。
【０００８】
また本発明の他の態様として、市販の歯間ブラシのブラシ部分に前記のアムホテリシンＢを含有する粘稠液をコーティングしたものも口腔または歯科衛生用器具として好適である。
【０００９】
さらに本発明の他の態様としては、市販の歯間ブラシとアムホテリシンＢ水溶液を充填した容器とを１セットとして例えば包装して口腔または歯科衛生用器具セットとすることもできる。
【００１０】
本発明の口腔またな歯科衛生用器具セットは、使用に際して歯間ブラシをアムホテリシンＢ水溶液に浸して歯、歯間あるいは舌等をブラッシングすることによって長時間口臭を抑えることができる。
【００１１】
本発明の口腔または歯科衛生用器具キットに用いられるアムホテリシンＢ水溶液の濃度としては０．０１重量％〜１重量％、好ましくは０．１〜０．５重量％の範囲が好ましい。
【００１２】
本発明の口腔または歯科衛生用器具としては、前記楊枝、歯間ブラシの外、その楊枝の反対側に綿を取付けたもの、又は単体での綿棒等が挙げられる。
【００１３】
【発明の効果】
本発明の口腔または歯科衛生用器具および口腔または歯科衛生用器具キットを用いることによって公衆の面前においてもあまりめだたずに操作ができ長時間口臭を予防することができる。
(57)【要約】【課題】我々近年とくに肩こりという症状に悩まされるようになった。すなわち原因となる首や肩のまわりの僧帽筋などが疲れて緊張して縮んで固くなってまわりの血管を圧迫することによって血流が悪くなる。故に疲労物質の排出などが滞って肩こりとなる。本発明はこの筋肉をもんだりたたいたりしないで引っ張ることによって柔らかくして血流をもとにもどして肩こりを解消しようとするものである。さらに頭への血流も良くなって仕事、勉強などの能率も向上するという効果も期待出来る。【解決手段】半円径の軸ハの一端に頭の側面や後面にあてることの出来る当り面ロを設け、もう一端に突起物ニのついた引っ張る時手で握ることの出来るイを設ける。これを自分の頭の側面や後面にロをあてイを引っ張る事によって首や肩のまわりの筋肉を伸ばすものである。又突起物ニを肩こりのツボにあててロを握って引っ張ってツボを刺激して肩こりを解消することも出来る。【選択図】  図１
2004167183.tif 000002
【特許請求の範囲】
【請求項１】
頭の所望の箇所を押す事の出来るあたり面を設けた軸の一端をひっぱることにより首や肩の筋肉を伸ばす健康器具
【発明の詳細な説明】
【０００１】
【発明の属する技術分野】
本発明は首又は肩の所の僧帽筋などが疲れや緊張で固く縮んで血管を圧迫してしまう、これにより血流が悪くなって疲労物質が排出されなくなる、だから肩こりとなる、そこでこれらの筋肉を引っ張ることによって伸ばして柔らかくして血流を良くして肩こりを治そうとすることに関するものである。
【０００２】
【従来の技術】
従来このような器具でこりのもととなる筋肉などをもんだりたたいたりして肩こりを解消しようとするものはあった。しかしたたいたりもんだりすると毛細血管が切れたり癖になったりして最近かえって逆効果だとする説が出て来た。すなわち本発明のように筋肉が疲れて緊張して固くなったものを引っ張ることによって伸ばして柔らかくするものはなかった。
【０００３】
【発明が解決しようとする課題】
大がかりな器具で首などをけん引するものはあるけれども本発明のように僧帽筋を伸ばすと言う効果はないと思われる。
本発明は簡単に安く自分で首の筋肉や僧帽筋をけん引して血流を良くして肩こりを解決する為になされたものである。
【０００４】
【課題を解決するための手段】
半円径の軸ハの一端に頭の側面や後面にあてることの出来る当り面ロを設けもう一端に突起物二のついた引っ張るとき手で握ることの出来る握り部イを
設けた。
【０００５】
【発明の実施の形態】
以下本発明の実施の形態について説明する。
（イ）軸ハの一端の当り面ロを自分の頭の左側面にあて握り部イを右手でもって右方向にゆっくり引っ張る。すると首が右に曲ることによって左側の僧帽筋などが引っ張られる。この事により筋肉が伸びて柔らかくなって血管の圧迫がとれ血流が良くなって疲労物質なども流れて肩こり解消となる。
（ロ）同様に当り面ロを右側頭部にあてて左方向に引っ張れば右肩にも効果が同様にあらわれる。さらに後頭部に当り面ロをあてて前方に引っ張っても同様の効果となる。
（ハ）突起物ニを肩こりのツボと言われる所にあててロを持って強く引いてもツボ療法としての肩こり解消の効果も望めるものである。
【０００６】
【発明の効果】
自分一人の力で簡単に安く僧帽筋など肩こりの原因となる筋肉を引っ張ることが出来る。これにより固く縮んだ筋肉が柔らかくなって血流が良くなって肩こりを解消することができる。
さらに頭への血流も良くなって仕事、勉強などの能率も良くなる効果も期待出来る。そのうえ毎日の事であるので場所も時間もかからないという利点もある。
【図面の簡単な説明】
【図１】本発明の正面図である。
【図２】本発明の側面図である。
【符号の説明】
イ  握り部
ロ  当り面
ハ  半円径の軸
ニ  突起物
【図１】
2004167183.tif 000003
【図２】
2004167183.tif 000004
(57)【要約】      （修正有）【課題】頭皮を直接マッサージできる器具を提供すること。【解決手段】ブラシのくしを、針金状の金属で形成し先端をＲ状に曲げる。【選択図】図１
2004167189.tif 000002
【特許請求の範囲】
【請求項１】
本発明は針金状の金属の特徴を利用して、頭皮の独特の箇所に対してマッサージーする器具である。前例もなく、改造でもないので、この器具の全形に対して特許請求します。
【発明の詳細な説明】
世の中には色んなマッサージー器具があります。肩、背中、足などなど、数え切れないぐらいあるが、しかし、頭、即ち頭皮に対するのマッサージー器具がなかなかありません。それもその筈、髪の毛がある為、頭皮に直接マッサージーするのが難しいからである。そこで、この発明品が髪の毛に邪魔にされなく、頭皮に直接マッサージーすることができるのである。本発明は針金状の金属を利用して“図１”のようなくしを作った。くしの１本１本の先端はＲ状に曲げられています、針金状のものだから、頭皮に当たる部分は、とっても丸くて滑らかである。このくしを頭前面から髪の毛に沿って、“図２”矢印は手前から奥へ普通にくしで頭を梳かすように、やや力を加えると頭皮に傷をつけることなく血の循環がよくなり、心地よいマッサージー効果が得られます。
【図１】
2004167189.tif 000003
【図２】
2004167189.tif 000004
【手続補正書】
【提出日】平成15年2月24日(2003.2.24)
【手続補正２】
【補正対象書類名】明細書
【補正対象項目名】図面の簡単な説明
【補正方法】追加
【補正の内容】
【図面の簡単な説明】
【図１】立体図  この図は頭皮マッサージャー全体の立体図である。考え方としては、櫛で頭髪を整えるのと同じような使い方で、ただ、違う所は頭皮にあたる部分は丸く曲げた金属の丸い線状のもの（例えば針金見たいなもの）である。この丸く曲げた部分は滑らかな感触で頭皮を傷めることなく、心地好い気持ちになります。
【図２】平面図  この図は頭皮マッサージャーを頭に当てて使用する時の平面図である。使い方は人間の正面から髪の毛に沿って後ろへやや力をいれながら移動することでマッサージの効果がえられる。
【符号の説明】
（ａ）は頭皮マッサージャー本体である。
（ｂ）は丸く曲げた金属の丸い線状のものである。
（ｃ）はｂが髪と髪の間に入りやすい様にリードするものである。
（イ）は頭皮マッサージャーである。
（ロ）、（ハ）は頭皮マッサージャー使用時平面図から見て後ろに移動する方向の矢印である。
（ニ）は人の頭である。


【手続補正３】
【補正対象書類名】図面
【補正対象項目名】全図
【補正方法】変更
【補正の内容】
【図１】
2004167189.tif 000005
【図２】
2004167189.tif 000006
(57)【要約】【課題】寒い時、ゴルフボールは萎縮し従来より飛ばなくなり冬場はゴルファーにとってプレーを難しくしていた。【解決手段】空気穴（４）の開いた半円球ケース（１）にカイロ（２）を入れケース（３）を設け半円球ケース（１）をかぶせる。【選択図】図１
2004167184.tif 000002
【特許請求の範囲】
【請求項１】
（イ）専用カイロ（２）を空気穴（４）の開いているプラスチック製の半円球（１）ケースに設ける。
（ロ）専用カイロ（２）の上に弾力性のあるプラスチックケース（３）を設ける。
（ハ）ケース（３）にゴルフボール（５）を入れ、ケース（１）をかぶせる。
【請求項２】
円球ケース（１）にフックを設けたゴルフボールの萎縮を抑える装置。
【発明の詳細な説明】
【０００１】
【発明の属する技術分野】
この発明は円球ケースにカイロを入れてゴルフボールの萎縮を防ぎ、ボー
ルの飛距離を延ばす装置に関するものである。
【０００２】
【従来の技術】
従来ゴルフプレーヤーは冬場ゴルフ場に向かう時、ボールを車のエンジン近くの暖かい場所にボールを置き、行ったものである。だが、ボールを打つ
時には萎縮していた。
【０００３】
【発明が解決しようとする課題】
従って、萎縮したボールを円球ケースに入れたカイロにより、使用間際まで萎縮しないよう保て飛距離を落とさなくプレー出来るように発明された。
【０００４】
【課題を解決するための手段】
いま、その構成を説明すると・・・
（イ）専用カイロ（２）を空気穴（４）の開いているプラスチック製の半球ケース（１）に設ける。
（ロ）専用カイロ（２）の上に弾力性のあるプラスチックケース（３）を設ける。
（ハ）ケース（３）にゴルフボール（５）を入れ、ケース（１）をかぶせる。
以上のように装置する。
【０００５】
【発明の実施の形態】
発明の実施の形態を述べると、側面の穴から空気が入り、カイロ（２）の温度を長時間保つことが出来、ボール（５）が萎縮せず使用時に通常の反発
力を保つ。
【０００６】
【発明の効果】
よって、使用時にはボールの飛距離落とす事無くプレーが出来、第一打が
力みなく打てる。
【図面の簡単な説明】
【図１】本発明の斜視図。
本発明の他の実施例の斜視図
【符号の発明】
１は円球ケース
２はカイロ
３は内部ケース
４は空気穴
５はゴルフボール
【図１】
2004167184.tif 000003
(57)【要約】【課題】位牌等は、孫子末代まで、大切に保存しなければならないが、従来のものは、木製でできているため、災害で焼失したり、経年変化で、文字が消えたり、毀れたりして、取り返しのつかないこととなることが、多々あった。また、木製のため、写真等を組み入れることができなかった。その欠点を克服することが目的である。【解決手段】位牌等を、特殊セラミック製にし、また、木製の位牌等に特殊セラミック製の写真・戒名文字等を貼付することにより、上記の欠点を克服し、画期的な効果を得ることができた。さらに、金属製、プラスチック製にすることも可能にした。【選択図】      図１
2004167186.tif 000002
【特許請求の範囲】
【請求項１】
位牌・墓石・記念碑・仏具等（以下、位牌等という）に写真等を表示するシステム
【請求項２】
位牌等を金属製・プラスチック製・セラミック製にし、特にセラミック製の場合、写真・戒名文字等を焼付け可能にするシステム
【請求項３】
位牌等に、一般写真等、特殊セラミック製写真・戒名文字等を貼付するシステム
【発明の詳細な説明】
【００１】
【発明の属する技術分野】
この発明は、位牌等の半永久的な保存と、写真等の永久表示に関する技術である。
【００２】
【従来の技術】
従来の位牌は木製であり、災害で焼失したり、経年変化で文字が消えたり、壊れてしまう危険性があった。また、木製のため、写真等を安全に表示することができなかった。
したがって、孫子末代まで保管しなければならないのに、取り返しのつかないことになりかねなかった。
【００３】
【発明が解決しようとする課題】
本発明は、その欠点をなくすために、位牌等を木製から、特殊セラミック製にし、また位牌等に特殊セラミック写真・戒名文字等を貼付する画期的なシステムの開発を課題として研究を進めた。
さらに、位牌等を金属・プラスチックにし、いろいろな形で写真等を表示するシステムの開発をもあわせて研究した。
【００４】
【課題を解決するための手段】
上記のためには、位牌等を、半永久的な耐久性を持つ印画、焼付け、熱処理した特殊セラミック製とし、または、木製位牌に同セラミックを貼付することが最上であることを発見した。
【００５】
【発明の実施の形態】
本発明は、以上のような構成であるから、上記特殊セラミック化により、位牌等の半永久的な保存、写真・文字等の半永久的表示も可能になった。
本発明を実施するために、具体的に下記の方法を行なうものとする。
写真、戒名文字をスライド型に替え、乳化処理されたセラミックの表面に印画し、１４７０度の高熱で焼き、さらに何回も熱処理することにより、半永久的な耐久性のある特殊セラミック写真、文字ができる。
それを、位牌としたり、木製位牌に貼付したりする。
さらに、金属製、プラスチック製にした場合も、上記と組み合わせできるようにした。
【００６】
【発明の効果】
本発明は以上のような構成だから、半永久的に保存可能な効果も生まれた。
さらに、単に、戒名だけが書かれていた位牌に、半永久的に保存可能な写真や文字を組み込むこともできる効果がうまれた。
なお、特殊セラミック写真に戒名文字をいれておけば、万が一、木製位牌が毀れても、写真・戒名文字の部分は、半永久的に保存される。
【図面の簡単な説明】
【図  １】特殊セラミック写真文字組み入れ位牌等システム
【符号の説明】
１、特殊セラミック位牌・金属位牌・プラスチック位牌もしくは木製位牌
２、写真・戒名文字焼付けもしくは一般写真、特殊セラミック写真・戒名文字貼付
【図１】
2004167186.tif 000003
(57)【要約】【課題】弁当箱入れるケースを、弁当を食べた後に枕として使用したら、固くて不快であった。【解決手段】弁当箱の入る部分３の上部に、枕となる部分４を設ける。枕となる部分４は、弾力性のあるクッッションを使用する。【選択図】図１
2004167192.tif 000002
【特許請求の範囲】
【請求項１】
枕として使用できることを特徴とする弁当箱のケース。
【請求項２】
枕として使用する際、弁当箱のケースの上部に位置する部分にクッションを設けることを特徴とする請求項１記載の弁当箱のケース。
【発明の詳細な説明】
【０００１】
【発明の属する技術的分野】
この発明は、弁当箱を入れるケースの形状に関する。
【０００２】
【従来の技術】
従来の弁当箱を入れるケースの形状は、図５に示すように枕部分として使用できるものは無かった。
【０００３】
【発明が解決しようとする課題】
しかしながら、以上の従来技術によれば、枕として使用するにあたり、固くて不快であった。
そこで、この発明は、枕として使用できる弁当箱のケースを提供することを課題とする。
【０００４】
【課題を解決するための手段】
以上の課題を解決するために、請求項１の発明は、枕として使用できることを特徴とする弁当箱のケースである。
また、請求項２の発明は、枕として使用する際、弁当箱の上部に位置する部分にクッションを設けることを特徴とする弁当箱のケースである。
【０００５】
【発明の実施の形態】
この発明の一実施形態を、図１〜図４に示す。
弁当箱の入る部分３、及び枕となる部分４は布製であり、弁当箱の入る部分３に、布製のとって１が一体的に一対設けられている。
金属製のファスナー２を開けることにより、弁当箱の入る部分３と、枕となる部分４は、図４に示すような３と４が開いた形状となり、弁当箱の入る部分３に、弁当箱を入れることができる。
金属製のファスナー２を閉じれば、図１の形状となりこの状態において、枕として使用可能となる。
【０００６】
「実施形態の効果」
この実施形態によれば，クッションを設けた枕部分４により、枕として使用するにあたり、固くて不快にはならない。したがって、快適に枕として使用できる。
【０００７】
「他の実施形態」
図１の実施形態では、枕となるクッション部分は弁当箱の入る部分と大きさ、形ともほぼ同じであるが、他の実施形態では、枕となるクッション部分はカマボコ形となったものでも良い。
また、とって、枕となる部分、弁当箱の入る部分を、革製及び、人工革製としたものでも良い。
【０００８】
【発明の効果】
以上説明したように、この発明によれば、弁当箱のケースの上部に位置する部分にクッションを設けたので、枕として使用できる。
【０００９】
また、弁当箱をつつむケースが厚くなるので、弁当の保温効果がある。
【図面の簡単な説明】
【図１】この発明の一実施形態を示す斜視図である。
【図２】この発明の正面図である。
【図３】この発明の右側面図である。
【図４】この発明の一実施形態を示す斜視図である。
ファスナー２により、弁当箱の入る部分３と、枕となる部分４が、開いた形状を示す図である。
【図５】従来技術を示す斜視図である。
【符号の説明】
１  とって
２  ファスナー
３  弁当箱の入る部分
４  枕となる部分（クッション材入り）
【図１】
2004167192.tif 000003
【図２】
2004167192.tif 000004
【図３】
2004167192.tif 000005
【図４】
2004167192.tif 000006
【図５】
2004167192.tif 000007
(57)【要約】【目的】本発明は、冬の乾燥期に暖湿気マスクで、風邪の予防をし、鼻からの吸引方法で、治療薬や予防薬を持続的に発散吸入する。【構成】マスクに水分器をつけ水分を毛細管現象で移動させ、マスクにカイロを付けて水分を継続的に蒸発させる構成。【選択図】  図１
2004167197.tif 000002
【特許請求の範囲】
【請求項１】
マスクの内側に継続的に湿った部分又は固体や液体を置く。湿った部分や固体若しくは液体を体温や外気温で継続的に蒸発や昇華させる。
マスクの湿った部分や固体や液体などに温度が必要の場合は、カイロを付けて温めて継続的に蒸発や昇華させて、マスク内を高湿暖気したり、薬や香料などを気化充満にして吸い使う。多量の水分補給は別の器部分から毛細管現象で補給をする。  固体で昇華や発散する物は、マスク内に入れるか、貼り付けて発散させ継続的に使用する。少量液体物などは、直接マスク内に入れるか、貼り付けて移動する毛細管現象は使わず、緩慢に漏らし継続的に充満発散させ使用する。
【発明の詳細な説明】
【０００１】
【産業上の利用分野】
本発明は、冬になると外空気が乾燥して、健康に注意していても風邪を引いてしまう。風邪ウイルスは乾燥には強く多湿には弱いので、常に湿った暖気を何処に居ても吸う事が可能であれば予防及び治療になる。
なお、このマスク内蒸発や昇華方法で行えば、水分に治療薬や予防薬そして香料などを入れれば、一時的に急激な投与による血中濃度上昇などの抵抗が少なく、使用者への痛みなどの負担やわずらしさが少なく長時間の持続が期待出来る。
美容的にも損なわれる事が少なく使用出来る。
このマスクが薬の気道への持続的投与方法であるので、呼吸器系以外の医療にも使える。貼り薬使用の皮膚炎が、経口投与の誤嚥、注射の針汚染、肛門の恥ずかしなど不具合があるが、このマスクが気道への持続的投与方法は、他の方法と比較して使いよい。
【０００２】
【従来の技術】
従来から冬の乾燥してる時には、風邪の予防には湿った暖気が良い。その為に加湿器などで室内の湿度を上げて風邪の予防は可能であったが、一旦外出すると乾燥で風邪を引きやすかった。
鼻、喉は身体の呼吸への防御器官、たとえ従来のマスクをしても、自分の吐き出した湿暖気を再度少し吸って補っていただけで、充分な湿度と暖気を吸入してはいなかった。
従来の鼻から気道への薬の吸引方法は、吹き付け、塗り薬、貼り薬、では、治療薬や予防薬は一時的な投与であるので、急激な強い薬は継続的には使えなかった。その為に継続的には経口や肛門や注射投与、離れた部分への貼り薬しか出来なかった。部屋への置いて使う特定香料などは多量に必要であり、継続的に出来ても複数人では使えない場合がある。鼻から気道への貼り薬では、継続的に出来ても美容的に問題があった。
【０００３】
【発明が解決しようとする課題】
水分は常に継続的に補給していて、使用者の活動に制限や邪魔にならないのが課題である。
蒸発促進させる熱源に、火傷をしてはならないのが課題である。
従来のマスクの機能をも低下させずにさらに新鮮な空気が入っても湿温度が下がらない事が課題である。
水分を貯溜する器に再度の水分を補給を行う時には、外側に水分が濡れ出ない事、簡単に補給を行える事が課題である
継続的に使用して美容的に見て問題にならないのが課題である。
【０００４】
【課題を解決するための手段】
本発明は、上記目的を達成するために、以下の様に構成したものである。
マスクの中に湿った部分、又は物を発散する部分を作り、カイロで温めて水分や固体を蒸発や昇華させる。より湿った空気や有効な成分を気化充満し呼吸可能にする。多量の水分は常にマスク外から補給して、潤沢に湿らせて外部には水分が漏れない為に密封しておく。
マスクが気道への治療や予防への目的物薬を投与手段で持続的にする。
【０００５】
【作用】
６貯水器から４マスク紐へと沿って５給水導管を通って水が湿った布に移動するが、６貯水器が１マスクより下にある場合は毛細管現象で移動し、６貯水器が１マスクより上にある場合は、５給水導管は細い管か毛細管現象で水を移動する、
【０００６】
【実施例】
以下、本発明の実施例を図面によって説明する。
図面は、実施例で図１は、１マスクに２カイロ（使い捨て）をマスク内ポケットを設置して入れたり、貼ったりする。そして湿った布３ガーゼは、３ガーゼと５給水導管と繋がり、５給水導管は６貯水器と繋がり継続的に水分は移動可能である。睡眠中などの２カイロによる火傷を防止の為に、鼻とマスクの間を空ける７安全体を付ける。６貯水器の位置は使用者の行動目的により、外出活動時などに使用の鉢巻き型、頭の上帽子型にする方法、ヘッドホーン型方法、睡眠中にはアイマスクに貼りつけたり、アイマスク型兼用にする方法、屋内などのメガネの様に耳に掛ける型で４マスク紐と兼用する方法、１マスクの前や中や鼻に触れる側そして額縁型などに設置する方法。１マスクより下の場合は襟巻きや首掛けの様にする方法もある、少量の場合は４マスク紐が５給水導管や６貯水器と兼ねたりして、これらは使用量や活動状況によって弊害が少ない様に会わせる。６貯水器への水分補充にはスポイド方式で吸わせる。６貯水器は使い捨てにしてマスクに貼ったりポケットを設置して入れたりする方法。１マスクへ固体で昇華や発散する物は、１マスク内に入れるか、貼り付けて発散させ継続的に使用する。少量液体物などは、毛細管現象は使わず直接に１マスク内に６貯水器を入れるか、貼り付けて漏らすか昇華発散させ使用する。
【０００７】
【発明の効果】
以上の説明から明きらかの様に、本発明によると、このマスクにより冬の乾燥してる時には、風邪の予防には湿った暖気を吸う事が、睡眠中や外出やゴルフなど、何時でも何処でも湿った暖気を吸う事が可能になる。
鼻からの吸引方法では、治療薬や予防薬は一時的ではなく持続的に可能になる。予防薬には睡眠促進、活動期のすっきりさせ活動促進させる香料なを入れる事も出来る。
【図面の簡単な説明】
【図１】顔にマスクを付けた断面図である。
【符号の説明】
１  マスク  ２  カイロ  ３  ガーゼ  ４  マスク紐  ５  給水導管
６  貯水器  ７  安全体  ８  鼻  ９  耳  １０  頭  １１  眼  １２  口
【図１】
2004167197.tif 000003
(57)【要約】      （修正有）【課題】果実の皮むきに、ナイフを使わないで皮ひき（ピーラー）を用いたいのであるが、横向きには使用が難しかったので、これを解決しようとした考案である。【解決手段】本体（１）の上部に切り欠き窓（２）を明け、左右に刃（３）と安定用ローラー（４）を配した。これによって果実に対して非常に安定した皮むき作業を行える皮むき器となった。【選択図】  図１
2004167199.tif 000002
【特許請求の範囲】
【請求項１】
カード型の材料（１）の上方に方形の切り欠き窓（２）を明ける。切り欠き窓の内側の左右に互いに平行になるように角度可変な刃（３）と、安定用ローラー（４）を配す。
刃の回転角度を調節するためにピン（５）を打つ
以上の構成よりなるカード型皮むき器。
【発明の詳細な説明】
【０００１】
【発明の属する技術分野】
この発明は従来の皮引き（ピーラー）に改良を加え、だれでも容易に果実の皮むきが出来るようにするための考案である。
【０００２】
【従来の技術】
従来果実の皮むきには、ナイフ、皮ひき（ピーラー）等を用いて来た。
【０００３】
【発明が解決しようとする課題】
ナイフは小児に不向きであり、成人でも意外に習熟を要した。皮ひき（ピーラー）は本来上下方向に動かして使う物であり、丸い果実をむくには不便であった。
【０００４】
【課題を解決するための手段】
細長いカード様の素材（１）の上部に、方形の切り欠き窓（２）を設け、その窓の内側の左右の端に互いに平行になるように角度可変な刃（３）と安定用ローラー（４）を配する。
【０００５】
【発明の実施の形態】
本発明の実施の形態を説明すると。
カード様の板状の素材（１）の上部に開けた切り欠き窓（２）の内側に角度可変な刃（３）と安定用ローラー（４）を左右平行に取りつける。カード様の素材（１）には刃（３）とローラー（４）を取りつけるための切り欠き窓（２）（６）を明けておく。又、刃（３）が不要な回転をせぬようピン（５）を打つ。
本発明は以上のような構造で、これを使用するには図３の如く、果実を一方の手ににぎり、カード型の皮むき器を他方の手ににぎり、果実の芯を中心軸のように見て、互いに廻せば良い。この時、力の加減、配分を一切気にせずに、皮むきが出来るのである。
【０００６】
【発明の効果】
果実に対して、刃とローラーが一定の間かくを置いて配されているので、常に一定の力、一定の角度で刃が作用するので、皮むきが非常に楽に出来る。幼児も使用可能となる。又形状もカード型でコンパクトな仕様なので携帯にも便利である。
【図面の簡単な説明】
【図１】本発明の分解斜視図である
【図２】本発明の斜視図である
【図３】本発明の実施図である
【符号の説明】
１  本体素材
２  切り欠き窓
３  角度可変な刃
４  安定用ローラー
５  ピン
６  果実
【図１】
2004167199.tif 000003
【図２】
2004167199.tif 000004
【図３】
2004167199.tif 000005
(57)【要約】      （修正有）【課題】ネックレスを効果的に光らせ、付加価値を高める。【解決手段】ネックレスの宝石底部に発光素子を取付け、その宝石に細い穴をあけ、その穴に色別光ファイバーを光拡散キャップの頭部まで通し、リチウム電池によって発光素子と光ファイバーを点灯させる。【選択図】なし【特許請求の範囲】
【請求項１】
ネックレスの宝石底部に発光素子と色別光ファイバーを取り付け、リチウム電池よって点灯させ光効果を高めたもの。
【発明の詳細な説明】
この発明は〔図１〕宝石の底部に〔図４〕発光素子を取付け固定し、〔図５〕色別光ファイバーを宝石に細い穴をあけ〔図３〕光拡散キャップの頭部まで通し、〔図１１〕リチウム電池によって点灯させ光効果を高めたもの。又〔図７〕は定期的にリチウム電池を交換するための蓋です。
【図面の簡単な説明】
【図１】発光素子付ネックレス全体の断面図
【符号の説明】
１は宝石  ２は宝石と台の組み合わせ金具  ３は光拡散キャップ
４は発光素子  ５は光ファイバー  ６は発光素子と光拡散キャップの止金
７はリチウム電池の押さえ蓋  ８は光ファイバーの発光面  ９は鎖
１０は板バネ  １１はリチウム電池
2004167196.tif 000002
(57)【要約】      （修正有）【課題】体験ダイビングの生徒のストレスを小さくし、生徒に明確に説明がつくようにする。【解決手段】体験ダイビングに、受講する人に合わせたレベルの異なるいろいろなコースを設定し、しかも水中でコースの変更・選択ができるようにすることで、それを受講する人に明確に説明でき、受講者もコースや内容に納得ができる。【選択図】なし【特許請求の範囲】
【請求項１】
ダイビングのインストラクターの感覚にまかせっきりの体験ダイビングを生徒に合わせて（例えば、性別、年齢、体験の有無、精神状態など）レベル別に分ける事
【発明の詳細な説明】
【０００１】
従来の体験ダイビングは男性、女性、子供、年配のみなさんにワンパターンでした。そこでＤＮＳでは体験ダイビングコースをレベル別に増やし、しかも水中で自由にコースを変更選択できるようにしました。
［発明の属する技術分野］
【０００２】
体験ダイビングを教える技術は従来どおりで変更はありません。
［従来の技術］
【０００３】
同上
［発明が解決しようとする課題］
【０００４】
生徒のストレスが小さくなる。ダイビングインストラクターまかせの体験ダイビングに基準を設けることによって、生徒に明確に説明がつく
［課題を解決するための手段］
【０００５】
年齢、性別、身体的な特徴、などに合せて体験ダイビングを三つのレベルに分ける。
陸で選んだレベルを潜ってみて、水中でもう一度、変更、選択できるようにする。
［発明の実態の形態］
【０００６】
体験ダイビングレベル１（水深１ｍ〜２）・・お子様や海がにがてな人、身体的に特徴のある人のためのコース。トラブルがあればすぐに足のどどく浅場に移動できますので初めてのひとにも安心。
体験ダイビングレベル２（水深１ｍ〜５）・・ゆっくりと体験ダイビングを楽しみたい人のコースです。あなたのペースに合せて、無理なく水中散歩を楽しみましょう。
体験ダイビングレベル３・（水深１ｍ〜８）・・  ダイビングが二度目三度目の人でも大満足、気分はもう、プロダイバー、ライセンス保持者と同じコースをゆきます。
［発明の効果］
体験ダイビングに（受講する人に合せた）レベルと基準を設けることによって、それを受講する人に明確に説明ができ、受講者もコースや内容に納得ができる。従来までは担当のダイビングインストラクターの感覚や気分次第で、実施されていた体験ダイビングが大きな変貌を遂げる。
▲１▼受講生のストレスが減る
▲２▼受講生のクレームが減る
(57)【要約】      （修正有）【課題】イヤリングを効果的に光らせ、付加価値を高める。【解決手段】イヤリングの宝石部分の底に発光素子を取付け固定させ、リチウム電池によって点灯させる。【選択図】図１
2004167194.tif 000002
【特許請求の範囲】
【請求項１】
イヤリング宝石部分の底部に発光素子を取り付け、リチウム電池よって点灯させ光効果を高めたもの。
【発明の詳細な説明】
この発明は〔図１〕の宝石を取付けた〔図２〕の宝石を支える止金具の中央部に〔図３〕の発光素子を取付け固定させ〔図４〕のリチウム電池を挿入し、宝石部分と〔図７〕の耳取付け金具本体を分離させ、リチウム電池の交換と宝石部を定期的に何種類も交換できる付加価値をつけたもの。〔図６〕のスイッチは耳にイヤリングを付けた時は点灯し、取り外した時はＯＦＦになるように移動します。光効果は昼夜問わず連続点灯時間は１２０時間です。
【図面の簡単な説明】
【図１】発光素子付イヤリング全体の断面図
【符号の説明】
１は宝石  ２は宝石を支える止金具  ３は発光素子  ４はリチウム電池
５は宝石部分とイヤリング本体を分離するネジ部分
６は耳に取付けた時に移動するスイッチ  ７は耳取付け金具本体
８は取付け固定ネジ  ９は接触防止マット
【図１】
2004167194.tif 000003
(57)【要約】      （修正有）【課題】指輪を効果的に光らせ、付加価値を高める。【解決手段】指輪の宝石部分の底に発光素子を取付け固定させ、リチウム電池によって点灯させたもの。【効果】指輪の宝石底部に発光素子を取付け固定させ、リチウム電池によって点灯させた結果、宝石部分は見事に光効果を高めました。尚連続点灯時間は１２０時間で、リチウム電池交換、宝石部分の交換も容易に出来ました。【選択図】図１
2004167195.tif 000002
【特許請求の範囲】
【請求項１】
指輪の宝石部分の底部に発光素子を取り付け、リチウム電池よって点灯させ光効果を高めたもの。
【発明の詳細な説明】
この発明は〔図１〕の宝石を取付けた〔図２〕の宝石を支える止金具の中央部に〔図３〕の発光素子を取付け固定させ〔図４〕のリチウム電池を挿入し、宝石部分と〔図８〕の指輪本体を分離させ、リチウム電池の交換と宝石部を定期的に何種類も交換できる付加価値をつけたもの。〔図６〕のスイッチは指輪を付けた時は点灯し、取り外した時はＯＦＦになるように移動します。光効果は昼夜問わず連続点灯時間は１２０時間です。
【図面の簡単な説明】
【図１】発光素子付指輪全体の断面図
【符号の説明】
１は宝石  ２は宝石を支える止金具  ３は発光素子  ４はリチウム電池
５は接触防止マット  ６はスイッチ
７は宝石部分と指輪本体を分離するネジ部分  ８は指輪本体
【図１】
2004167195.tif 000003
(57)【要約】【課題】電子レンジを利用して、一般的な丸型だけでなく、花型やハート型、鳥や魚など色々楽しい形の目玉焼きを短時間に作り、かつ型崩れせずに取り出せるようにする。【解決手段】目玉焼きは爆発するので、電子レンジでは作れないと思われているが、黄身に爪楊枝で数箇所穴をあけたり、加熱時間をきちんと守ったりすれば爆発することはない。そこで、マイクロ波を通し、かつ耐熱性を持つポリプロピレンなどの樹脂の板状の底１に花やハートなど色々な形の溝２を掘り、その溝と同じ形状の筒３をはめ込む物を作ることにより、色々な形の目玉焼きを短時間で作ることができ、型崩れせずに簡単に取り出せる。又、黄身の位置を一定にさせる為には、底にゆるやかなへこみ４をつることにより安定させ、器具を少なくする為には、底板を共有させるようにした。【選択図】  図２
2004167198.tif 000002
【特許請求の範囲】
【請求項１】
耐熱性のあるポリプロピレンなどの樹脂の板状の底に、花やハートなど、色々な形の溝を堀り、その溝と同じ形状の筒をはめ込む形式の、電子レンジ用の目玉焼き器である。
【請求項２】
作る形によって黄身の位置を一定にさせる方法として、黄身を置きたい位置に向けて、へらですくった時、卵が残らない程度の、ゆるやかなへこみを底板につける。
【請求項３】
卵は半液状であり漏れにくいことと、加工し易いポリプロピレンを使うことで、底板に複数の溝を掘ったり、裏表を使ったりして、底板を一枚で共有できるようにする。
【発明の詳細な説明】
【０００１】
【発明の属する技術分野】
本発明は、電子レンジを利用して、普通の丸型だけでなく、花型やハート型や鳥や魚など色々な形の目玉焼きを作り、型崩れさせずに取り出せるようにした簡素な調理器具である。
【０００２】
【従来の技術】
大方の人は、一度は電子レンジで目玉焼きを作ってみるが、突然爆発することに驚き、ほとんどの人が諦めてしまうようで、電子レンジ用の目玉焼きなどの器具の簡素な物は作られておらず、特許、実用新案にも大袈裟なものしか出されていない。オーブン用の物はあるが、金属製である為にマイクロ波を通さず、電子レンジには不向きであることと、底がついている為に、取り出しにくい欠点がある。
【０００３】
【発明が解決しようとする課題】
爆発する点については、黄身に爪楊枝で数箇所穴をあけるとか、加熱時間をきちんと守ること、などの簡単な方法で解決できるので、問題のないことだと分かった。そこで、単純な丸型だけでなく、花型やハート型など、色々な形の目玉焼きを、電子レンジで短時間に作り、かつ型崩れさせずきれいに取り出せる器具を考案する。
【０００４】
【課題を解決する為の手段】
電子レンジ調理に必要なマイクロ波を通し、耐熱性もあり、色々な形に成形しやすい材料としては、ポリプロピレンなどの樹脂を使う。型崩れさせずに取り出す方法として、器具を上下二つに分けて、はめ込み式にすることで、上部をとりはずしてへらですくえば、きれいな形のまま取り出せる。作りたいものによって黄身の位置を一定にさせる為には、黄身の収まる場所に向けて、底板にゆるやかなへこみをつける。
【０００５】
【発明の実施の形態】
マイクロ波を通し、耐熱性のあるポリプロピレンなどの樹脂を素材にして、その板状の底１に、花型やハート型など、色々な形の溝２を掘り、溝２と同じ形状の筒３をはめこむ形式にすることで、電子レンジの加熱を容易にする。ぬるぬると不安定に動いてしまう黄身の位置を安定させる為に、ゆるやかなへこみ４をつけることで、出来上がりの黄身の位置が一定になり、ゆるやかなへこみである為、型くずれすることもなく取り出すことができる。
【０００６】
【実施例】
加工しやすいポリプロピレンのような樹脂を素材に使うことで、底の溝と筒部分のはめ込みが簡単に出来、単純な丸い形だけでなく、花とかハートとか、魚や鳥などの楽しい形の目玉焼きを、わずか５０秒で作ることができる。
【０００７】
【発明の効果】
丸や花やハート型の目玉焼きは一般的であるが、鳥や魚の形に作ることも容易で、黄身の部分を卵に見立てた、「子持ち魚」とか、「子持ち鳥」などにすると、忙しい朝もとても楽しい食卓になる。フライパンのように、油を使うこともなく出来るので健康にも良い。加工しやすい樹脂を利用することで、一枚の底にいくつかの形の溝を掘ったり、裏表を利用したりすれば、底の部分は共有して使うことも可能である。さらに、たちを少し高くしておけば、目玉焼きだけでなく、プリンや卵豆腐やケーキの型をかねることもできる。
【図面の簡単な説明】
【図１】溝を掘った底の部分と、溝と同じ形状の筒の斜面図である。
【図２】溝を掘った底の部分と、溝と同じ形状の筒をはめ込んだ時の斜面図である。
【図３】溝を掘った底の部分と、溝と同じ形状の筒部分をはめ込んだ時の断面図である。
【符号の説明】
１  板状の底の部分
２  底板に掘った溝
３  底板の溝と同じ形状の筒
４  底板につけたゆるやかなへこみ
【図１】
2004167198.tif 000003
【図２】
2004167198.tif 000004
【図３】
2004167198.tif 000005
(57)【要約】      （修正有）【課題】睡眠中に地震などの災害時に、多くの人が貴重品を持って安全に早く非難が出来るような非常用枕カバーを提供する。【解決手段】枕カバーの横に筒を取り付け、その筒の中に、発光素子ペン型懐中電灯、預金通帳１〜５冊、銀行印、実印など各自にあった貴重品や救急用品を入れておくための紐を付けた布袋を挿入する。【選択図】図１
2004167193.tif 000002
【特許請求の範囲】
【請求項１】
枕カバーに非常用筒を取り付けたもの
【発明の詳細な説明】
非常用枕カバーは、睡眠中に地震などの災害が発生した時、いち早く非難するのに便利なものです。災害時は〔図１〕の枕カバー横についている筒の中より〔図３−１〕の紐を引くと〔図３〕の紐付布袋が取り出せます。
その布袋に、あらかじめ発光素子ペン型懐中電灯、預金通帳１〜５冊と銀行印、実印等をいれておけば、簡単に持ち出して非難できる便利な付加価値のあるものです。又この非常用枕カバーを取り付けた枕をそのまま持ち出せば防災頭巾のかわりにもなります。
【図面の簡単な説明】
【図１】非常用枕カバーの正面図
【図２】筒
【図３】紐付布袋
【符号の説明】
図１−１は枕カバー本体  図１−２は筒を挿入するところ  図１−３は縫い糸目  図１−４は筒  図２−１は紐付布袋を挿入するところ  図３−１は紐
【図１】
2004167193.tif 000003
【図２】
2004167193.tif 000004
【図３】
2004167193.tif 000005
(57)【要約】【課題】浴槽の底部にたまった抜け毛やゴミ等の沈殿物を、下層の汚れた水と一緒に、水圧により吸い上げて除去する、浴槽用掃除器を提供する。【解決手段】中空状の容器（４）の先に、先端にワイパー（９）を設けた吸込口（１）を取り付け、その内部の孔（１０）に密着自在にする弁（２）を置いて、支持棒穴（５）を通してなる支持棒（３）の端に固定し、その他端は、容器（４）の外からバネ（７）を介して、つまみ（６）で固定したことを特徴とする。【選択図】      図１
2004167200.tif 000002
【特許請求の範囲】
【請求項１】
中空状の容器（４）の先に、先端にワイパー（９）を設けた吸込口（１）を取り付け、その内部の孔（１０）に、密着自在にする弁（２）を置いて、支持棒穴（５）を通してなる支持棒（３）の端に固定し、その他端は容器（４）の外からバネ（７）を介して、つまみ（６）で固定した浴槽用掃除器。
【発明の詳細な説明】
【０００１】
【発明の属する技術分野】
この発明は、浴槽の底にたまった抜け毛やゴミ等の沈殿物を、水圧により水と一緒に吸い取って除去する、浴槽用掃除器に関するものである。
【０００２】
【従来の技術】
従来、浴槽のゴミは、布製の網ですくって取り去っていた。
また、浴槽水のゴミ等を捕捉、除去する場合に、浴槽水掃除機の装置が使用されている。（例えば特許文献１参照）。
また、浴槽に浮遊又は沈殿する異物を捕捉、排出する場合には、風呂水清掃具の装置が利用されている。（例えば特許文献２参照）。
また、浴槽などの水槽内部のゴミを排出する場合には、液体中のゴミ吸引掃除具の装置が利用されている。（例えば特許文献３参照）。
【０００３】
【特許文献１】
特開平０８−２４３３１７
【特許文献２】
特開平１１−２６７０５６
【特許文献３】
特開平０９−１５８９００
【０００４】
【発明が解決しようとする課題】
これには次のような欠点があった。
イ  浴槽の底にたまったゴミは沈殿しているため、網や装置を入れてゴミを取ろうとすると、水流が起こってゴミを拡散させ、取りにくかった。
ロ  電動であったりフィルターを取り付けたりするために、構造が複雑であり、頻繁に手入れが必要であった。
本発明は、以上の欠点を解決するため、浴槽水の水圧だけを利用し、ワイパーによって浮き上がらせたゴミと、沈殿した下層の汚れた水とを一緒に吸入して取り除く、極めて簡単な構造の掃除器として発明されたものである。
【０００５】
【課題を解決するための手段】
取手（８）を付けた中空状の容器（４）の先に、先端にワイパー（９）を設けた吸込口（１）を取り付ける。吸込口（１）の内部には、孔（１０）に密着自在とする弁（２）を置いて、支持棒穴（５）を通してきた支持棒（３）の端に固定する。支持棒（３）の他端は、容器（４）の外からバネ（７）を介して、つまみ（６）で固定する。
本発明は、以上の構成からなる浴槽用掃除器である。
【０００６】
【発明の実施の形態】
以下、本発明の実施の形態を説明する。
イ  取手（８）を取り付けた透明なプラスチック製の容器（４）の上部に、先端の口先を偏平状に形成した円筒型の吸込口（１）を設ける。
ロ  吸込口（１）の偏平状になった口先に、少し離して口先と平行に、不織布を巻いたワイパー（９）を設ける。
ハ  吸込口（１）の内部には、孔（１０）に密着する円形の弁（２）を設け、その中心部と、容器（４）底部の支持棒穴（５）を通した支持棒（３）の端とを固定する。
ニ  支持棒（３）の他端は、容器（４）の外からバネ（７）をはめ、つまみ（６）で固定する。
本発明は以上の構造からなっている。
本器具を使用するときは、弁（２）を閉じたまま容器（４）の取手（８）を持ち、吸込口（１）を下にして、静かに浴槽の中に沈める。そして、ワイパー（９）を軽く浴槽の底に押し当て、つまみ（６）を指で押し込んで弁（２）を開き、そのままゆっくり水底を掃きながら移動する。
このとき水圧によって、容器（４）内部の空気が、支持棒穴（５）を通して抜けると同時に、水が吸込口（１）から容器（４）に吸い込まれ、ワイパー（９）で掃かれて浮き上がった水底のゴミを、一緒に取り込むことができる。
この際、浴槽の底にたまったゴミの状態を観察しながら、つまみ（６）を操作して弁（２）を開閉し、任意に水の吸込み量を加減する。
容器（４）内の水が一杯になった段階で、つまみ（６）を放して弁（２）を閉じ、容器（４）をゆっくり浴槽から取り出した後、つまみ（６）を押して弁（２）を開き、ゴミを含んだ水を捨てる。
以上の動作を繰り返すことによって、浴槽の底にたまったゴミと一緒に、下層の汚れた水を取り除き、水をきれいにすることができる。
なお、この浴槽用掃除器は浴槽に使用するほか、大きさを変えることによって魚槽等のゴミを除去する際にも使用できる。
【０００７】
【発明の効果】
本発明を使用することによって、浴槽の底部に沈殿しているゴミや汚れた水を、簡便かつ確実に取り除き、有効に残り湯を再利用し、水資源を節用することができる。
また、本器の構造は極めて簡単なために、使用後の手入れも不要である。
【図面の簡単な説明】
【図１】本発明の断面図
【図２】本発明の斜視図
【図３】本発明の使用状態を示す斜視図
【符号の説明】
１  吸込口
２  弁
３  支持棒
４  容器
５  支持棒穴
６  つまみ
７  バネ
８  取手
９  ワイパー
１０  孔
【図１】
2004167200.tif 000003
【図２】
2004167200.tif 000004
【図３】
2004167200.tif 000005